(57)【要約】【課題】雌コネクタハウジングと雄コネクタハウジングとのロックが解除され難く、防犯性に優れたワイヤハーネスを提供する。【解決手段】雌コネクタハウジング７と、雌コネクタハウジング７が挿入される雄コネクタハウジング９と、被覆電線１を結束する結束部２１を有するロック状態保持具２０と、を備え、雌コネクタハウジング７は、一端部が雌コネクタハウジング７の側面壁部７ｂに連なる片持ち梁状のロックアーム７ｃと、ロックアーム７ｃの長手方向中間部分に設けたロック用突起部７ｄと、を有し、雄コネクタハウジング９は、雌コネクタハウジング７が挿入された状態でロック用突起部７ｄが嵌め込まれる開口部９ｃを有し、ロック状態保持具２０は、雌コネクタハウジング７とロックアーム７ｃの他端部との間の空隙Ｓに挿入されるロックアーム移動規制部２２を有する構成である。【選択図】図１
2017091856.tif 000002
【特許請求の範囲】
【請求項１】
複数の被覆電線を有するとともに前記各被覆電線の端部に接続された第１の端子を有する電線群と、
複数のキャビティを形成するキャビティ形成用本体部を有し、かつ、前記キャビティ形成用本体部の端子挿入側端部と反対側の端部より一体に前記キャビティ形成用本体部の側面に沿って間隔を空けて延びるロックアームを有し、さらに前記ロックアームの中途部外面側に突出形成されたロック用突起部と、前記ロックアームの張出端外面側に形成された押圧部と、を有し、前記各キャビティに、対応する前記第１の端子を収容する第１のコネクタハウジングと、
第１のコネクタハウジングの収容空間を形成する側面壁部と正面壁部を有し、かつ、前記正面壁部より前記収容空間に延びる前記第１の端子に接続可能な複数の第２の端子を有し、前記収容空間に前記第１のコネクタハウジングを収容し前記各第２の端子に対応する前記第１の端子が接続され、さらに、前記側面壁部に、前記ロック用突起部を受け入れる開口部および前記ロック用突起部を脱出方向に移動不能に当接するロック受け部を有する第２のコネクタハウジングと、
前記複数の被覆電線を結束する結束部を有し、かつ、前記結束部が前記第１のコネクタハウジングの近傍で前記複数の被覆電線を結束した際に、前記第１のコネクタハウジングの前記側面壁部と前記ロックアームの他端部との間の空隙に挿入され、押圧部の押圧方向の移動を阻止するロックアーム移動規制部を有するロック状態保持具と、を備えことを特徴とするワイヤハーネス。
【請求項２】
前記結束部は、前記電線群に巻き付けられるバンド部と、前記バンド部の一端部に設けられ、かつ前記バンド部の所定個所が固定されるロック部と、を有してなり、
前記ロックアーム移動規制部は、前記バンド部が前記電線群に巻き付けられた状態で前記ロック部から前記電線群の軸方向に突出するように設けられていることを特徴とする請求項１に記載のワイヤハーネス。
【発明の詳細な説明】
【技術分野】
【０００１】
本発明は、ワイヤハーネスに関する。
【背景技術】
【０００２】
従来、図３に示すように、複数の被覆電線１よりなる電線群１０と、雌端子２がそれぞれ収容される複数のキャビティ３ａを有する雌コネクタハウジング３と、各雌端子２に接続可能な雄端子４を内部に有して雌コネクタハウジング３が挿入される雄コネクタハウジング５と、を備え、各被覆電線１の芯線１ａを被覆する絶縁被覆層１ｂの一端部を皮剥ぎして露出させた芯線１ａを雌端子２に接続させるようにしたワイヤハーネスＷ０が知られている（例えば、特許文献１参照）。電線群１０は、複数の被覆電線１が図面に対して交差する方向に並んでいる。
【０００３】
雌コネクタハウジング３は、一端部が雌コネクタハウジング３の側面壁部３ｂに連なり、かつ電線群１０側に向けて片持ち梁状に延びるロックアーム３ｃと、ロックアーム３ｃの長手方向中間部分から側面壁部３ｂの反対側に向けて突出するロック用突起部３ｄと、ロックアーム３ｃの他端部から側面壁部３ｂの反対側に向けて突出する押圧部３ｅと、を有している。
【０００４】
雄コネクタハウジング５は、雌コネクタハウジング３が挿入された状態でロック用突起部３ｄが嵌め込まれる開口部５ａを側面壁部５ｂに有しており、開口部５ａの雄端子４と反対側の縁部が、開口部５ａに嵌まり込んだロック用突起部３ｄの移動を規制するロック受け部５ｃを構成している。
【０００５】
ワイヤハーネスＷ０は、雌コネクタハウジング３が雄コネクタハウジング５に挿入され、かつ開口部５ａにロック用突起部３ｄが嵌まり込んでいると、ロック受け部５ｃによってロック用突起部３ｄの開口部５ａの長手方向への移動が規制され、雄コネクタハウジング５が雌コネクタハウジング３から抜け出さないロック状態に保持される。
【０００６】
ワイヤハーネスＷ０は、雌コネクタハウジング３と雄コネクタハウジング５とがロックされている状態で、手動操作により押圧部３ｅが雌コネクタハウジング３の側面壁部３ｂに向けて押圧されると、ロック用突起部３ｄが開口部５ａから外れて、雌コネクタハウジング３を雄コネクタハウジング５から抜き出すことができるようになる。
【先行技術文献】
【特許文献】
【０００７】
【特許文献１】特開２０１４−１１０９２号公報
【発明の概要】
【発明が解決しようとする課題】
【０００８】
しかしながら、上述のワイヤハーネスＷ０は、雌コネクタハウジング３と雄コネクタハウジング５とがロックされている状態で、手動操作により押圧部３ｅが雌コネクタハウジング３の側面壁部３ｂに向けて押圧されると、ロック用突起部３ｄが開口部５ａから外れて、雌コネクタハウジング３を雄コネクタハウジング５から抜き出すことができるようになり、雌コネクタハウジング３と雄コネクタハウジング５とのロックが簡単に解除されてしまう。
【０００９】
このため、ドアの不正開錠やウインドウガラスの損壊を検知して自動車の所有者等に通報する自動車盗難防止装置のアラーム回路にワイヤハーネスＷ０が組み込まれていると、雌コネクタハウジング３と雄コネクタハウジング５とロックが解除されるだけでアラーム回路の通電が遮断されてアラームの作動が停止してしまい、自動車の所有者等が不法行為の発生に気付かないことがあるという問題があった。
【００１０】
本発明は、上述のような課題を解決するためになされたもので、雌コネクタハウジングと雄コネクタハウジングとのロックが解除され難く、防犯性に優れたいワイヤハーネスを提供することを目的としている。
【課題を解決するための手段】
【００１１】
本発明に係るワイヤハーネスは、上記目的達成のため、複数の被覆電線を有するとともに前記各被覆電線の端部に接続された第１の端子を有する電線群と、複数のキャビティを形成するキャビティ形成用本体部を有し、かつ、前記キャビティ形成用本体部の端子挿入側端部と反対側の端部より一体に前記キャビティ形成用本体部の側面に沿って間隔を空けて延びるロックアームを有し、さらに前記ロックアームの中途部外面側に突出形成されたロック用突起部と、前記ロックアームの張出端外面側に形成された押圧部と、を有し、前記各キャビティに、対応する前記第１の端子を収容する第１のコネクタハウジングと、第１のコネクタハウジングの収容空間を形成する側面壁部と正面壁部を有し、かつ、前記正面壁部より前記前記収容空間に延びる前記第１の端子に接続可能な複数の第２の端子を有し、前記収容空間に前記第１のコネクタハウジングを収容し前記各第２の端子に対応する前記第１の端子が接続され、さらに、前記側面壁部に、前記ロック用突起部を受け入れる開口部および前記ロック用突起部を脱出方向に移動不能に当接するロック受け部を有する第２のコネクタハウジングと、前記複数の被覆電線を結束する結束部を有し、かつ、前記結束部が前記第１のコネクタハウジングの近傍で前記複数の被覆電線を結束した際に、前記第１のコネクタハウジングの前記側面壁部と前記ロックアームの他端部との間の空隙に挿入され、押圧部の押圧方向の移動を阻止するロックアーム移動規制部を有するロック状態保持具と、を備えた構成である。
【００１２】
この構成により、本発明に係るワイヤハーネスは、第２のコネクタハウジングに第１のコネクタハウジングが挿入され、第２のコネクタハウジングの開口部にロックアームのロック用突起部が嵌まり込んだ状態で、第１のコネクタハウジングの側面壁部とロックアームの他端部との間の空隙にロックアーム移動規制部を挿入し、結束部により複数の被覆電線を結束すると、ロックアーム移動規制部によってロックアームの他端部が第１のコネクタハウジングの側面壁部側に向けて移動することが規制されるため、押圧部を第１のコネクタハウジング側に押圧してもロック用突起部が第２のコネクタハウジングの開口部から外れない。
【００１３】
したがって、本発明に係るワイヤハーネスは、結束部による複数の被覆電線の結束を解いて、第１のコネクタハウジングの側面壁部とロックアームの他端部との間の空隙からロックアーム移動規制部を抜き出さないと、第１のコネクタハウジングと第２のコネクタハウジングとのロックを解除させることができない。
【００１４】
本発明に係るワイヤハーネスは、前記結束部が、前記電線群に巻き付けられるバンド部と、前記バンド部の一端部に設けられ、かつ前記バンド部の所定個所が固定されるロック部と、を有してなり、前記ロックアーム移動規制部が、前記バンド部が前記電線群に巻き付けられた状態で前記ロック部から前記電線群の軸方向に突出するように設けられている構成とすることが好ましい。
【００１５】
この構成により本発明に係るワイヤハーネスは、第２のコネクタハウジングに第１のコネクタハウジングが挿入され、第２のコネクタハウジングの開口部にロックアームのロック用突起部が嵌まり込んだ状態で、第１のコネクタハウジングの側面壁部とロックアームの他端部との間の空隙にロックアーム移動規制部を挿入し、バンド部を電線群に巻き付けてバンド部の所定個所をロック部に固定すると、ロックアーム移動規制部によってロックアームの他端部が第１のコネクタハウジングの側面壁部側に向けて移動することが規制されるため、押圧部を第１のコネクタハウジング側に押圧してもロック用突起部が第２のコネクタハウジングの開口部から外れない。
【００１６】
したがって、本発明に係るワイヤハーネスは、バンド部およびロック部による複数の被覆電線の結束を解いて、第１のコネクタハウジングの側面壁部とロックアームの他端部との間の空隙からロックアーム移動規制部を抜き出さないと、第１のコネクタハウジングと第２のコネクタハウジングとのロックを解除させることができない。
【発明の効果】
【００１７】
本発明によれば、雌コネクタハウジングと雄コネクタハウジングとのロックが解除され難く、防犯性に優れたワイヤハーネスを提供することができる。
【図面の簡単な説明】
【００１８】
【図１】本発明の実施の形態に係るワイヤハーネスの概略部分断面図である。
【図２】本発明の実施の形態に係るワイヤハーネスに用いるロック状態保持具の概略構造を示す図であり、（ａ）は正面図、（ｂ）は平面図である。
【図３】従来のワイヤハーネスの概略部分断面図である。
【発明を実施するための形態】
【００１９】
以下、本発明の実施の形態に係るワイヤハーネスについて図面を参照して説明する。
【００２０】
図１に示すように、本実施の形態に係るワイヤハーネスＷ１は、第１の端子としての雌端子６を有する電線群１０と、雌端子６がそれぞれ収容される複数のキャビティ７ａを有する第１のコネクタハウジングである雌コネクタハウジング７と、雌端子６に接続可能な第２の端子としての雄端子８を有して雌コネクタハウジング７が挿入される第２のコネクタハウジングである雄コネクタハウジング９と、電線群１０を結束する結束部２１を有するロック状態保持具２０と、を備えている。
【００２１】
電線群１０は、複数の被覆電線１を有するとともに各被覆電線１の端部に接続された雌端子６を有する。被覆電線１は、例えば、軟銅撚り線より形成された芯線１ａと、ポリ塩化ビニル等の樹脂材料により形成されて芯線１ａを被覆する絶縁被覆層１ｂとを有している。芯線１ａは、軟銅撚り線に限定されるものではなく、他の電線材料を適用してもよい。また、絶縁被覆層１ｂは、ポリ塩化ビニル製に限定されるものではなく、他の絶縁用樹脂材料を適用してもよい。
【００２２】
雌端子６は、細棒状の雄端子８の先端部が挿入される角筒状の先端接続部６ａと、先端接続部６ａに一体に連なり、かつ被覆電線１の端部で露出した芯線１ａを周方向に取り囲んで芯線１ａに圧着される第１のバレル部６ｂと、第１のバレル部６ｂに一体に連なり、かつ被覆電線１の端部で絶縁被覆層１ｂを周方向に取り囲んで絶縁被覆層１ｂに圧着される第２のバレル部６ｃと、を有している。第１のバレル部６ｂは、工具によって芯線１ａに圧着するように塑性変形され、第２のバレル部６ｃは、工具によって絶縁被覆層１ｂに圧着するように塑性変形されている。これにより、雌端子６は、第１のバレル部６ｂが被覆電線１の芯線１ａに接続されている。
【００２３】
雌端子６は、例えば、銅、または銅合金により形成され、必要に応じて表面にメッキ加工が施されている。雌端子６は、銅製、または銅合金製に限定されるものではなく、他の金属材料を適用してもよい。さらに、雌端子は、上述した形状に限定されるもではなく、必要に応じて異なる形状としてもよい。
【００２４】
雌コネクタハウジング７は、複数のキャビティ７ａを形成するキャビティ形成用本体部７ｆを有し、かつ、キャビティ形成用本体部７ｆの端子挿入側端部と反対側の端部より一体にキャビティ形成用本体部７ｆの側面に沿って間隔を空けて延びるロックアーム７ｃを有し、さらにロックアーム７ｃの中途部外面側に突出形成されたロック用突起部７ｄと、ロックアーム７のロック用突起部７ｄの張出端外面側に形成された押圧部７ｅと、を有し、各キャビティ７ａに、対応する雌端子６を収容するように構成されている。
【００２５】
雌コネクタハウジング７は、雌端子６が収容される複数のキャビティ７ａを有しており、ポリエステルやポリプロピレン等の電気的絶縁性および弾性変形可能な特性を具備した樹脂材料によって形成されている。また、雌コネクタハウジング７は、ポリエステルやポリプロピレン以外の樹脂材料により形成させることもできる。
【００２６】
雌コネクタハウジング７は、一端部が雌コネクタハウジング７の側面壁部７ｂに連なり、かつ電線群１０側に向けて片持ち梁状に延びるロックアーム７ｃと、ロックアーム７ｃの長手方向中間部分から側面壁部７ｂの反対側に向けて突出するロック用突起部７ｄと、ロックアーム７ｃの他端部から側面壁部７ｂの反対側に向けて突出する押圧部７ｅと、を有している。ロックアーム７ｃの一端部は、側面壁部７ｂに向き合う面が雌コネクタハウジング７の一端部側に向けて側面壁部７ｂから漸次離れるテーパ状に形成されている。ロック用突起部７ｄは、ロックアーム７ｃの一端側を向く緩角度の第１の傾斜面Ｆ１と、ロックアーム７ｃの他端側を向く急角度の第２の傾斜面Ｆ２と、を有している。
【００２７】
ロックアーム７ｃ、ロック用突起部７ｄおよび押圧部７ｅは、雌コネクタハウジング７と同じ樹脂材料によって雌コネクタハウジング７に一体成形されている。ロックアーム７ｃは、手動操作により押圧部７ｅが雌コネクタハウジング７の側面壁部７ｂに向けて押圧されると、他端部が側面壁部７ｂに近接するように弾性変形し、手動操作による押圧部７ｅの押圧を中止すると、他端部が側面壁部７ｂから離れた状態に戻るようになっている。
【００２８】
雄端子８は、細棒状であって、例えば、銅または銅合金により形成され、必要に応じて表面にメッキ加工が施されている。雄端子８は、銅製または銅合金製に限定されるものではなく、他の金属材料を適用してもよい。さらに、雄端子は、上述した形状に限定されるもではなく、必要に応じて異なる形状としてもよい。
【００２９】
雄コネクタハウジング９は、雌コネクタハウジング７の収容空間９ｆを形成する側面壁部９ｄと正面壁部９ａを有し、かつ、正面壁部９ａより収容空間９ｆに延びる雌端子６に接続可能な複数の雄端子８を有し、収容空間９ｆに雌コネクタハウジング７を収容し各雄端子８に対応する雌端子６が接続され、さらに、側面壁部９ｄに、ロック用突起部７ｄを受け入れる開口部９ｃおよびロック用突起部７ｄを脱出方向に移動不能に当接するロック受け部９ｅを有する。
【００３０】
雄コネクタハウジング９は、一端部から他端部に向けて雌コネクタハウジング７が挿入される凹形状を有しており、ポリエステルやポリプロピレン等の電気的絶縁性および弾性変形可能な特性を具備した樹脂材料によって形成されている。また、雄コネクタハウジング９は、ポリエステルやポリプロピレン以外の樹脂材料により形成させることもできる。
【００３１】
雄コネクタハウジング９は、正面壁部９ａに雄端子８が圧入される圧入孔９ｂを有している。圧入孔９ｂは、雌コネクタハウジング７のキャビティ７ａと同数であり、雄コネクタハウジング９に雌コネクタハウジング７を挿入させたときに、雄端子８と雌端子６とが接続されるようになっている。また、各雄端子８は、図示されない被覆電線の芯線に接続されている。
【００３２】
雄コネクタハウジング９は、雌コネクタハウジング７が挿入された状態でロック用突起部７ｄが雄コネクタハウジング９の長手方向へ移動しないように嵌め込まれる開口部９ｃを側面壁部９ｄに有しており、開口部９ｃの雄端子８と反対側の縁部が、開口部９ｃに嵌まり込んだロック用突起部７ｄの移動を規制するロック受け部９ｅを構成している。
【００３３】
図２（ａ）、図２（ｂ）に示すように、ロック状態保持具２０は、結束部２１およびロックアーム移動規制部２２により構成されている。結束部２１は、電線群１０に巻き付けられるバンド部２１ａと、バンド部２１ａの一端部に設けられ、かつバンド部２１ａの所定個所が固定されるロック部２１ｂと、を有している。
【００３４】
バンド部２１ａは、電線群１０に接触しない一方の面にセレーション２１ｃが形成されている。ロック部２１ｂは、バンド部２１ａが挿通される挿通孔２１ｄと、挿通孔２１ｄに挿通されたバンド部２１ａのセレーション２１ｃに係合する係合爪部２１ｅと、を有している。結束部２１の基本的な構造は、公知の結束バンドと同様である。
【００３５】
ロックアーム移動規制部２２は、バンド部２１ａが電線群１０に巻き付けられた状態でロック部２１ｂから電線群１０の軸方向に突出するように設けられており、雌コネクタハウジング７の側面壁部７ｂとロックアーム７ｃの他端部との間の空隙Ｓに挿入され、側面壁部７ｂ側に向けてロックアーム７ｃの他端部を近接させないようになっている。また、ロックアーム移動規制部２２は、電線群１０の反対側を向く面がロックアーム７ｃの一端部において側面壁部７ｂを向く面に対応するテーパ状に形成されている。
【００３６】
ロック状態保持具２０は、結束部２１とロックアーム移動規制部２２とを、ポリアミド等の引張、圧縮、衝撃および曲げに強い樹脂材料によって一体に形成させている。また、ロック状態保持具２０は、ポリアミド樹脂以外の樹脂材料により形成させることもできる。
【００３７】
以下、本実施の形態に係るワイヤハーネスＷ１の組立手順を説明する。ここで、電線群１０は、前述したように各被覆電線１の一端部に雌端子６が接続され、かつ雌端子６を雌コネクタハウジング７のキャビティ７ａに挿入するのに際して、各被覆電線１を取り回すための作業余長が確保されているものとする。
【００３８】
まず、雌コネクタハウジング７が雄コネクタハウジング９に挿入されていない状態で、各被覆電線１の一端部の雌端子６を雌コネクタハウジング７の所定のキャビティ７ａに収容させる。雌端子６は、被覆電線１の本数に応じてキャビティ７ａの全数に収容させるようにすることもできる。
【００３９】
次いで、雄コネクタハウジング９に雌コネクタハウジング７を挿入させると、ロック用突起部７ｄの第１の傾斜面Ｆ１がロック受け部９ｅの図中下面を摺動し、ロックアーム７ｃの他端側が押し下げられて側面壁部７ｂに近接する。この後、ロック用突起部７ｄがロック受け部９ｅの下側を通過すると、ロックアーム７ｃの他端部が側面壁部７ｂから離れた状態に戻って開口部９ｃにロック用突起部７ｄが嵌まり込み、ロック用突起部７ｄの第２の傾斜面Ｆ２とロック受け部９ｅとが向き合った状態なり、雌端子６の先端接続部６ａに雄端子８に先端部が挿入され、被覆電線１、雌端子６および雄端子８が接続される。また、雌コネクタハウジング７を雄コネクタハウジング９から引き出そうとすると、ロック用突起部７ｄの第２の傾斜面Ｆ２がロック受け部９ｅに当接して雌コネクタハウジング７の移動が規制されることになる。
【００４０】
さらに、雌コネクタハウジング７の側面壁部７ｂとロックアーム７ｃの他端部との間の空隙Ｓにロック状態保持具２０のロックアーム移動規制部２２を挿入し、結束部２１のバンド部２１ａを電線群１０に巻き付けてバンド部２１ａをロック部２１ｂの挿通孔２１ｄに挿通させ、バンド部２１ａのセレーション２１ｃに係合爪部２１ｅを係合させてバンド部２１ａの所定個所をロック部２１ｂに固定し、ロック状態保持具２０の結束部２１によって複数の被覆電線１を結束させる。
【００４１】
このようにして組み立てられたワイヤハーネスＷ１は、雌コネクタハウジング７の側面壁部７ｂとロックアーム７ｃの他端部との間の空隙Ｓにロック状態保持具２０のロックアーム移動規制部２２が挿入され、ロックアーム移動規制部２２によってロックアーム７ｃの他端部が雌コネクタハウジング７の側面壁部７ｂ側に向けて移動することが規制されるため、押圧部７ｅを雌コネクタハウジング７側に押圧してもロック用突起部７ｄが雄コネクタハウジング９の開口部９ｃから外れない。
【００４２】
すなわち、本実施の形態に係るワイヤハーネスＷ１は、結束部２１による複数の被覆電線１の結束を解いて、雌コネクタハウジング７の側面壁部７ｂとロックアーム７ｃの他端部との間の空隙Ｓからロックアーム移動規制部２２を抜き出さないと、雌コネクタハウジング７と雄コネクタハウジング９とのロックを解除させることができない。
【００４３】
よって、本実施の形態に係るワイヤハーネスＷ１は、雌コネクタハウジング７と雄コネクタハウジング９とのロックを解除するまでに要する時間が、従来のワイヤハーネスＷ０の雌コネクタハウジング３と雄コネクタハウジング５とのロックを解除するまでに要する時間よりも長くなる。
【００４４】
したがって、ドアの不正開錠やウインドウガラスの損壊を検知して自動車の所有者等に通報する自動車盗難防止装置のアラーム回路に、本実施の形態に係るワイヤハーネスＷ１を組み込んだとすると、従来のワイヤハーネスをアラーム回路に組み込んだ自動車筒内防止装置に比べ、アラーム回路の通電が遮断されてアラームの作動が停止するまでの時間が長くなり、自動車の所有者等が不法行為の発生を知ることができるようになる。
【００４５】
また、本実施の形態に係るロック状態保持具２０は、図３に示す従来のワイヤハーネスＷ０にも適用することができる。具体的には、雌コネクタハウジング３の側面壁部３ｂとロックアーム３ｃの他端部との間の空隙Ｓにロック状態保持具２０のロックアーム移動規制部２２を挿入し、結束部２１のバンド部２１ａを電線群１０に巻き付けてバンド部２１ａの所定個所をロック部２１ｂに固定し、ロック状態保持具２０の結束部２１によって複数の被覆電線１を結束させる。
【００４６】
このようにしてロック状態保持具２０が装着され組み立てられた従来のワイヤハーネスＷ０は、雌コネクタハウジング３の側面壁部３ｂとロックアーム３ｃの他端部との間の空隙Ｓにロックアーム移動規制部２２が挿入され、ロックアーム移動規制部２２によってロックアーム３ｃの他端部が雌コネクタハウジング３の側面壁部３ｂ側に向けて移動することが規制されるため、押圧部３ｅを雌コネクタハウジング３側に押圧してもロック用突起部３ｄが雄コネクタハウジング５の開口部５ａから外れない。
【００４７】
すなわち、ロック状態保持具２０が装着された従来のワイヤハーネスＷ０は、結束部２１による複数の被覆電線１の結束を解いて、雌コネクタハウジング３の側面壁部３ｂとロックアーム３ｃの他端部との間の空隙Ｓからロックアーム移動規制部２２を抜き出さないと、雌コネクタハウジング７と雄コネクタハウジング９とのロックを解除させることができない。
【００４８】
よって、ロック状態保持具２０が装着された従来のワイヤハーネスＷ０は、雌コネクタハウジング３と雄コネクタハウジング５とのロックを解除するまでに要する時間が、ロック状態保持具２０が装着されていない従来のワイヤハーネスＷ０の雌コネクタハウジング３と雄コネクタハウジング５とのロックを解除するまでに要する時間よりも長くなる。
【００４９】
したがって、ドアの不正開錠やウインドウガラスの損壊を検知して自動車の所有者等に通報する自動車盗難防止装置のアラーム回路に組み込まれた従来のワイヤハーネスＷ０にロック状態保持具２０に装着すれば、ロック状態保持具２０を従来のワイヤハーネスＷ０に装着していない場合に比べ、アラーム回路の通電が遮断されてアラームの作動が停止するまでの時間が長くなり、自動車の所有者等が不法行為の発生を知ることができるようになる。
【００５０】
本発明によれば、雌コネクタハウジングと雄コネクタハウジングとのロックが解除され難く、防犯性に優れたワイヤハーネスを提供することができるという効果を有し、アラーム回路に組み込まれるワイヤハーネスの全般に有用である。
【符号の説明】
【００５１】
Ｗ１  ワイヤハーネス
１  被覆電線
６  雌端子（第１の端子）
７  雌コネクタハウジング（第１のコネクタハウジング）
７ｂ  側面壁部
７ｃ  ロックアーム
７ｄ  ロック用突起部
７ｅ  押圧部
７ｆ  キャビティ形成用本体部
８  雄端子（第２の端子）
９  雄コネクタハウジング（第２のコネクタハウジング）
９ｃ  開口部
９ｄ  側面壁部
９ｇ  収容空間
１０  電線群
２０  ロック状態保持具
２１  結束部
２１ａ  バンド部
２１ｂ  ロック部
２２  ロックアーム移動規制部
【図１】
2017091856.tif 000003
【図２】
2017091856.tif 000004
【図３】
2017091856.tif 000005